【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
表示手段の第１領域に測色用の第１画像を表示し、前記表示手段の第２領域に前記第１画像と異なる第２画像を表示するように、前記表示手段を制御することが可能な表示制御手段と、
前記第１画像および前記第２画像それぞれの画質調整処理を実行する画質調整手段と、
前記表示手段に表示された前記第１画像の表示輝度および表示色の少なくとも一方の測定結果に基づいて、前記画質調整手段が画質調整処理に用いる設定値を決定するキャリブレーション処理を実行するキャリブレーション手段と、
を備え、
前記キャリブレーション手段による前記キャリブレーション処理の実行中に、前記画質調整手段は、前記第１画像の画質調整処理に用いる設定値と異なる設定値を用いて、前記第２画像の画質調整処理を実行することを特徴とするキャリブレーション装置。
【請求項２】
前記画質調整手段は、複数の設定値を用いて前記画質調整処理を実行し、
前記キャリブレーション処理は、前記画質調整処理に用いる複数の設定値のうちのいずれかの値を求めるキャリブレーション工程を複数工程含む処理であり、
前記キャリブレーション手段は、前記複数のキャリブレーション工程を段階的に実行することにより、前記複数の設定値を段階的に更新し、
前記画質調整手段は、前記キャリブレーション処理の進行中に、各段階のキャリブレーション工程で更新された設定値を用いて、前記第２画像の画質調整処理を実行する
ことを特徴とする請求項１に記載のキャリブレーション装置。
【請求項３】
複数の設定値を記憶する記憶手段をさらに有し、
前記画質調整手段は、
前記キャリブレーション処理の開始時に、前記記憶手段に記憶されている複数の設定値である初期設定値群を用いて前記第２画像の画質調整処理を実行し、
前記キャリブレーション処理の進行中に、前記初期設定値群のうちの一部の値が前記キャリブレーション工程で求められた値で更新された設定値群である中間設定値群を用いて、前記第２画像の画質調整処理を実行する
ことを特徴とする請求項２に記載のキャリブレーション装置。
【請求項４】
前記キャリブレーション処理の進行と同期して、前記第２画像の画質調整処理に用いられる設定値を更新する同期表示を行うか否かを選択可能であり、
前記同期表示が選択された場合、前記画質調整手段は、前記キャリブレーション処理の開始時に、前記初期設定値群を用いて前記第２画像の画質調整処理を実行し、前記キャリブレーション処理の進行中に、前記中間設定値群を用いて、前記第２画像の画質調整処理を実行し、
前記同期表示が選択されなかった場合、前記画質調整手段は、前記キャリブレーション処理の進行中に、前記初期設定値群を用いて、前記第２画像の画質調整処理を実行する
ことを特徴とする請求項３に記載のキャリブレーション装置。
【請求項５】
前記キャリブレーション処理が実行される間、前記第２画像の画質調整処理に用いられる設定値が、キャリブレーション処理が実行される前に前記第２画像の画質調整処理に用いられた設定値のまま維持されることを特徴とする請求項１に記載のキャリブレーション装置。
【請求項６】
前記設定値は、前記画質調整手段が実行する色温度調整、色域調整、および、ガンマ値調整のうち少なくとも一つを含む複数の調整項目に対応する設定値であることを特徴とする請求項１乃至請求項５のいずれか１項に記載のキャリブレーション装置。
【請求項７】
測色用の第１画像および前記第１画像と異なる第２画像それぞれの画質調整処理を実行するステップと、
表示手段の第１領域に前記第１画像を表示するステップと、
前記表示手段の第２領域に前記第２画像を表示するステップと、
前記表示手段に表示された前記第１画像の表示輝度および表示色の少なくとも一方の測定結果に基づいて、前記画質調整処理に用いる設定値を決定するキャリブレーション処理を実行するステップと、
を有し、
前記キャリブレーション処理の実行中に、前記第１画像の画質調整処理に用いる設定値と異なる設定値を用いて、前記第２画像の画質調整処理が実行される
ことを特徴とするキャリブレーション方法。
【請求項８】
前記画質調整処理は、複数の設定値を用いて実行され、
前記キャリブレーション処理は、前記画質調整処理に用いる複数の設定値のうちのいずれかの値を求めるキャリブレーション工程を複数工程含む処理であり、
前記複数のキャリブレーション工程を段階的に実行することにより、前記複数の設定値が段階的に更新され、
前記キャリブレーション処理の進行中に、各段階のキャリブレーション工程で更新された設定値を用いて、前記第２画像の画質調整処理が実行される
ことを特徴とする請求項７に記載のキャリブレーション方法。
【請求項９】
前記キャリブレーション処理の開始時に、記憶手段に記憶されている複数の設定値である初期設定値群を用いて前記第２画像の画質調整処理が実行され、
前記キャリブレーション処理の進行中に、前記初期設定値群のうちの一部の値が前記キャリブレーション工程で求められた値で更新された設定値群である中間設定値群を用いて、前記第２画像の画質調整処理が実行される
ことを特徴とする請求項８に記載のキャリブレーション方法。
【請求項１０】
前記キャリブレーション処理の進行と同期して、前記第２画像の画質調整処理に用いられる設定値を更新する同期表示を行うか否かを選択可能であり、
前記同期表示が選択された場合、前記キャリブレーション処理の開始時に、前記初期設
定値群を用いて前記第２画像の画質調整処理が実行され、前記キャリブレーション処理の進行中に、前記中間設定値群を用いて、前記第２画像の画質調整処理が実行され、
前記同期表示が選択されなかった場合、前記キャリブレーション処理の進行中に、前記初期設定値群を用いて、前記第２画像の画質調整処理が実行される
ことを特徴とする請求項９に記載のキャリブレーション方法。
【請求項１１】
前記キャリブレーション処理が実行される間、前記第２画像の画質調整処理に用いられる設定値が、キャリブレーション処理が実行される前に前記第２画像の画質調整処理に用いられた設定値のまま維持されることを特徴とする請求項７に記載のキャリブレーション方法。
【請求項１２】
前記設定値は、色温度調整、色域調整、および、ガンマ値調整のうち少なくとも一つを含む複数の調整項目に対応する設定値であることを特徴とする請求項７乃至請求項１１のいずれか１項に記載のキャリブレーション方法。
【手続補正２】
【補正対象書類名】明細書
【補正対象項目名】００１１
【補正方法】変更
【補正の内容】
【００１１】
本発明の第１の態様は、
表示手段の第１領域に測色用の第１画像を表示し、前記表示手段の第２領域に前記第１画像と異なる第２画像を表示するように、前記表示手段を制御することが可能な表示制御手段と、
前記第１画像および前記第２画像それぞれの画質調整処理を実行する画質調整手段と、
前記表示手段に表示された前記第１画像の表示輝度および表示色の少なくとも一方の測定結果に基づいて、前記画質調整手段が画質調整処理に用いる設定値を決定するキャリブレーション処理を実行するキャリブレーション手段と、
を備え、
前記キャリブレーション手段による前記キャリブレーション処理の実行中に、前記画質調整手段は、前記第１画像の画質調整処理に用いる設定値と異なる設定値を用いて、前記第２画像の画質調整処理を実行する
ことを特徴とするキャリブレーション装置である。
【手続補正３】
【補正対象書類名】明細書
【補正対象項目名】００１２
【補正方法】変更
【補正の内容】
【００１２】
本発明の第２の態様は、
測色用の第１画像および前記第１画像と異なる第２画像それぞれの画質調整処理を実行するステップと、
表示手段の第１領域に前記第１画像を表示するステップと、
前記表示手段の第２領域に前記第２画像を表示するステップと、
前記表示手段に表示された前記第１画像の表示輝度および表示色の少なくとも一方の測定結果に基づいて、前記画質調整処理に用いる設定値を決定するキャリブレーション処理
を実行するステップと、
を有し、
前記キャリブレーション処理の実行中に、前記第１画像の画質調整処理に用いる設定値と異なる設定値を用いて、前記第２画像の画質調整処理が実行される
ことを特徴とするキャリブレーション方法である。